(57)【要約】【課題】記録媒体包装体から読み取った画像記録材料の識別情報の認識率を向上させる。【解決手段】画像記録装置に投入されることで画像データが可視画像として記録される複数のフイルムＦと、該複数のフイルムＦを収容するための遮光袋１４とを有し、遮光袋１４を移動除去することで、該遮光袋１４内に収容されていた複数のフイルムＦを画像記録装置内に装填する包装体１２において、遮光袋１４に第１及び第２のバーコードラベル２６Ａ及び２６Ｂを貼着する。具体的には、第１及び第２のバーコードラベル２６Ａ及び２６Ｂを遮光袋１４の移動除去方向に沿って貼着する。バーコード２２を構成するバー２２ａの延在方向を、遮光袋１４の引き抜き方向とほぼ平行となるようにして第１及び第２のバーコードラベル２６Ａ及び２６Ｂを遮光袋１４に貼着する。【選択図】図３
2004029586.tif 000002
【特許請求の範囲】
【請求項１】
画像記録装置に投入されることで画像データが可視画像として記録される複数の画像記録材料と、該複数の画像記録材料を収容するための包装袋とを有し、前記包装袋を移動除去することにより、該包装袋内に収容されていた複数の画像記録材料を画像記録装置内に装填する記録媒体包装体において、
前記画像記録装置は、該画像記録装置内での前記包装袋の移動除去時に、前記包装袋に設けられた情報担持部から画像記録材料の識別情報を読み取る情報読取り手段を有するものであって、
前記情報担持部は、前記画像記録装置内における移動除去方向に沿って２箇所以上設けられていることを特徴とする記録媒体包装体。
【請求項２】
請求項１記載の記録媒体包装体において、
前記識別情報が、前記情報担持部に表示されたバーコードによるものである場合に、
前記バーコードを構成するバーの延在方向が、前記移動除去方向とほぼ平行であることを特徴とする記録媒体包装体。
【請求項３】
請求項２記載の記録媒体包装体において、
２箇所以上に設けられた前記情報担持部の配置間隔は、
前記情報読取り手段が読取りエラーを検出した時点から再読取り可能になるまでの時間をＴ、前記包装袋の移動速度をＶとしたとき、Ｔ×Ｖ以上であることを特徴とする記録媒体包装体。
【請求項４】
画像データが可視画像として記録される複数の画像記録材料と、該複数の画像記録材料を収容するための包装袋とを有する記録媒体包装体が入れられ、その後、前記包装袋を移動除去することで、該包装袋内に収容されていた複数の画像記録材料が装填される画像記録装置に適用され、前記包装袋の移動除去時に、該包装袋に設けられた情報担持部から前記画像記録材料の識別情報を読み取る画像記録材料の識別情報処理方法において、
前記包装袋には、前記情報担持部が、該包装袋の移動方向に沿って２箇所以上設けられ、
前記２箇所以上の情報担持部のうち、少なくとも１つの情報担持部から前記識別情報を読み取ることを特徴とする画像記録材料の識別情報処理方法。
【請求項５】
請求項４記載の画像記録材料の識別情報処理方法において、
前記２箇所以上の情報担持部のうち、少なくとも１つの情報担持部から正常に識別情報を読み取った段階で、識別情報の読み取りを終了することを特徴とする画像記録材料の識別情報処理方法。
【請求項６】
請求項４記載の画像記録材料の識別情報処理方法において、
前記２箇所以上の情報担持部のうち、少なくとも２つの情報担持部から識別情報を読み取った段階で、これら読み取った識別情報を比較し、互いに同じである場合に正常として判断することを特徴とする画像記録材料の識別情報処理方法。
【発明の詳細な説明】
【０００１】
【発明の属する技術分野】
本発明は、画像記録装置に投入されることで画像データが可視画像として記録される複数の画像記録材料が収容された記録媒体包装体と、該記録媒体包装体から画像記録材料の識別情報を読み取るための画像記録材料の識別情報処理方法に関する。
【０００２】
【従来の技術】
近年、ＣＴ（Ｃｏｍｐｕｔｅｄ　Ｔｏｍｏｇｒａｐｈｙ）装置、ＣＲ（Ｃｏｍｐｕｔｅｄ　Ｒａｄｉｏｇｒａｐｈｙ）装置、ＭＲＩ（Ｍａｇｎｅｔｉｃ　Ｒｅｓｏｎａｎｃｅ　Ｉｍａｇｉｎｇ）装置等のコンピュータ支援診断装置が医療分野において広汎に利用されている。これらの装置を用いて得られた電気信号としての被写体の放射線画像情報は、画像処理装置に転送された後、診断に適した所望の画像処理が施され、ＣＲＴ（Ｃａｔｈｏｄｅ　Ｒａｙ　Ｔｕｂｅ）やフイルム等の画像記録材料に出力される。
【０００３】
この場合、画像記録材料に対して放射線画像情報を記録する画像記録装置では、例えば、積層状態で供給されるシート状の画像記録材料を枚葉して画像記録部まで搬送した後、放射線画像情報に応じて変調されたレーザビームを画像記録材料に照射することにより、所望の画像処理が施された放射線画像を得ている。
【０００４】
ところで、このような画像記録装置では、放射線画像情報の種類や画像の大きさ等に応じて、最適な感度特性あるいはサイズからなる画像記録材料を選択して放射線画像情報を記録する必要がある。
【０００５】
そこで、例えば、特開２００１−２８１８０６号公報には、レントゲンフイルム包装体の外表面に、機械的に読取り可能なバーコード等による識別情報を記録した従来技術が開示されている。また、特開２００１−３５６４５０号公報には、画像記録材料を収納する包装体に、サイズや感度等に係る識別情報を保持した識別情報部材を貼着し、画像記録装置に当該包装体が装填された際、識別情報部材の識別情報を読み取って処理するようにした従来技術が開示されている。
【０００６】
【発明が解決しようとする課題】
これらの従来技術の場合、識別情報を正常に読み取ることができるのであれば、その識別情報に基づいて所望の画像記録材料を選択し、所望の放射線画像情報を記録することができる。
【０００７】
しかしながら、包装体には、１箇所にしか識別情報部材を貼着していないため、該識別情報部材から識別情報を正常に読み取ることができなかった場合には、例えば、記録する放射線画像情報に適したサイズや感度を有するシート体に対して適切な画像を記録することができなくなってしまうおそれがある。
【０００８】
本発明は、前記の不具合を解消するためになされたものであって、記録媒体包装体から読み取った画像記録材料の識別情報の認識率を向上させることができ、所望の画像記録材料を選択して画像を適切に記録することができる記録媒体包装体及び画像記録材料の識別情報処理方法を提供することを目的とする。
【０００９】
【課題を解決するための手段】
本発明に係る記録媒体包装体は、画像記録装置に投入されることで画像データが可視画像として記録される複数の画像記録材料と、該複数の画像記録材料を収容するための包装袋とを有し、前記包装袋を移動除去することにより、該包装袋内に収容されていた複数の画像記録材料を画像記録装置内に装填する記録媒体包装体において、前記画像記録装置は、該画像記録装置内での前記包装袋の移動除去時に、前記包装袋に設けられた情報担持部から画像記録材料の識別情報を読み取る情報読取り手段を有するものであって、前記情報担持部は、前記画像記録装置内における移動除去方向に沿って２箇所以上設けられていることを特徴とする。
【００１０】
これにより、１つの情報担持部からの識別情報の読み取りが不良であったとしても、包装袋の移動除去に伴って別の情報担持部から識別情報を読み取ることが可能となり、識別情報の認識率を向上させることができる。しかも、複数の情報担持部を前記画像記録装置内における移動除去方向に沿って２箇所以上設けるようにしているため、情報読取り手段において２箇所以上の情報担持部から容易に情報を読み取ることができる。
【００１１】
そして、前記識別情報が、前記情報担持部に表示されたバーコードによるものである場合は、該バーコードを構成するバーの延在方向を、前記移動除去方向とほぼ平行となるようにして情報担持部を設けることが好ましい。これにより、情報読取り手段での読取り精度を向上させることができる。
【００１２】
また、２箇所以上設けられた前記情報担持部の間隔は、前記情報読取り手段が読取りエラーを検出した時点から再読取り可能になるまでの時間をＴ、前記包装袋の移動速度をＶとしたとき、Ｔ×Ｖ以上であることが好ましい。これにより、識別情報の認識率を更に向上させることができる。
【００１３】
次に、本発明に係る画像記録材料の識別情報処理方法は、画像データが可視画像として記録される複数の画像記録材料と、該複数の画像記録材料を収容するための包装袋とを有する記録媒体包装体が入れられ、その後、前記包装袋を移動除去することで、該包装袋内に収容されていた複数の画像記録材料が装填される画像記録装置に適用され、前記包装袋の移動除去時に、該包装袋に設けられた情報担持部から前記画像記録材料の識別情報を読み取る画像記録材料の識別情報処理方法において、前記包装袋には、前記情報担持部が、該包装袋の移動方向に沿って２箇所以上設けられ、前記２箇所以上の情報担持部のうち、少なくとも１つの情報担持部から前記識別情報を読み取ることを特徴とする。
【００１４】
これにより、包装袋から読み取った画像記録材料の識別情報の認識率を向上させることができ、所望の画像記録材料を選択して画像を適切に記録することができる。
【００１５】
この場合、前記２箇所以上の情報担持部のうち、少なくとも１つの情報担持部から正常に識別情報を読み取った段階で、識別情報の読み取りを終了するようにしてもよい。また、前記２箇所以上の情報担持部のうち、少なくとも２つの情報担持部から識別情報を読み取った段階で、これら読み取った識別情報を比較し、互いに同じである場合に正常として判断するようにしてもよい。
【００１６】
【発明の実施の形態】
以下、本発明に係る記録媒体包装体及び画像記録材料の識別情報処理方法を画像記録装置に適用した実施の形態例を図１〜図８を参照しながら説明する。
【００１７】
図１に示す本実施の形態に係る画像記録装置１０は、図示しないＣＴ装置、ＣＲ装置、ＭＲＩ装置等から供給される放射線画像情報を画像記録材料に可視画像として記録して出力する。
【００１８】
図２に示すように、前記画像記録装置１０に装填される本実施の形態に係る包装体１２は、画像記録材料を光密に保持する遮光袋１４と、遮光袋１４に積層状態で収納される画像記録材料であるシート状のフイルムＦと、フイルムＦを保護するための当て紙１６とを含む。
【００１９】
遮光袋１４は、前後に所定量の幅を有したひれ部１８ａ、１８ｂを有する。当て紙１６は、例えば、ボール紙等を折曲形成したもので、フイルムＦの最下部に配置される下面部２０ａと、フイルムＦの最上部に配置される上面部２０ｂと、下面部２０ａおよび上面部２０ｂを繋ぐ側面部２０ｃと、ひれ部１８ａのフイルムＦの側部に配置される側面部２０ｄとを有する。
【００２０】
そして、本実施の形態に係る包装体１２は、図３に示すように、遮光袋１４の外表面の中、２箇所にバーコードラベル（第１及び第２のバーコードラベル２６Ａ及び２６Ｂ）が貼着されている。各バーコードラベル２６Ａ及び２６Ｂには共に同じ情報が記録され、具体的には、フイルムＦのサイズ、感度、製造時期、製造場所、製造ロット番号、製造会社名等の識別情報を記録したバーコード２２と、これらのバーコード２２による識別情報に対応する数値データ２４とが印刷されている。
【００２１】
また、第１のバーコードラベル２６Ａは、遮光袋１４の外表面中、当て紙１６の下面部２０ａ側の部位であって、かつ、ひれ部１８ａ寄りの部位に貼着され、第２のバーコードラベル２６Ｂは、該第１のバーコードラベル２６Ａから所定間隔ｄだけ離れた部位に貼着されている。これら第１及び第２のバーコードラベル２６Ａ及び２６Ｂの貼着位置の詳細は後述する。
【００２２】
次に、図１及び図４に基づいて画像記録装置１０の構成を説明する。画像記録装置１０は、筐体３５の側面部から複数の包装体１２を装填可能な載置台３６、３８、４０を有する。最上部の載置台３６の上部には、画像記録装置１０の動作状態の表示や所望の作業指示を行うための表示を行う表示部４２と、画像記録装置１０に対してデータを入力するためのデータ入力部４４とが配設される。
【００２３】
画像記録装置１０の筐体３５内には、収納状態にある各載置台３６、３８、４０の上部に近接して画像記録装置１０内で開放状態にあるフイルムＦを枚葉する枚葉機構４８、５０、５２が配設される。また、載置台３６、３８、４０の下面部には、包装体１２に貼着された少なくとも第１のバーコードラベル２６Ａに記録された識別情報を読み取るためのバーコードリーダ４３、４５、４７が配設されている。具体的には、包装体１２の遮光袋１４に貼着されている第１のバーコードラベル２６Ａの位置に対応して開口部３７、３９、４１が形成されており、これらの開口部３７、３９、４１に臨むようにしてバーコードリーダ４３、４５、４７が配設されている。
【００２４】
最上部の載置台３６の上部には、画像記録部５４が配設される。画像記録部５４は、放射線画像情報に基づいて変調されたレーザビームＬを搬送されたフイルムＦに照射することで、潜像からなる放射線画像を記録する。なお、画像記録部５４では、フイルムＦがローラ５６によってプレート５８に押圧された状態で搬送される。
【００２５】
画像記録装置１０の上部であって画像記録部５４の側部には、放射線画像情報の記録されたフイルムＦを加熱することで潜像を顕像に変換する熱現像部６０が配設される。熱現像部６０は、フイルムＦを搬送する複数のローラ６２と、該複数のローラ６２に沿って湾曲形成され、搬送中のフイルムＦを加熱するプレートヒータ６４ａ〜６４ｃと、複数のローラ６２を回転駆動するドラム６６とを有する。
【００２６】
筐体３５の最上部には、熱現像部６０に連設して冷却部６８が配設される。冷却部６８によって冷却されたフイルムＦは、筐体３５の上面部である排出部７０に排出される。
【００２７】
画像記録装置１０は、図５に示すように、制御部７２によって全体の動作制御が行われる。制御部７２には、バーコードリーダ４３、４５、４７、表示部４２、データ入力部４４がそれぞれ接続される。また、制御部７２は、枚葉機構４８、５０、５２や、フイルムＦを画像記録装置１０内において搬送する搬送機構７４に対する制御も行う。更に、制御部７２には、載置台３６、３８、４０が画像記録装置１０内に収納状態であることを検知する載置台検知部７６と、画像記録装置１０内での遮光袋１４の有無を検知する遮光袋検知部７８とが接続される。更にまた、制御部７２には、バーコードリーダ４３、４５、４７によって読み取られた識別情報を記憶するデータ記憶部８０も接続される。
【００２８】
本実施の形態に係る画像記録装置１０及びそれに装填される包装体１２は、基本的には、以上のように構成されるものであり、次に、これらを用いた識別情報の処理方法につき、図６に示す処理フローチャートに基づいて説明する。
【００２９】
準備段階として、図１に示すように、載置台３６、３８、４０の１つ（この場合、載置台３６とする。）を引き出した後、遮光袋１４に貼着された第１及び第２のバーコードラベル２６Ａ及び２６Ｂ（図３参照）を下にした状態で包装体１２を当該載置台３６に収納する。この場合、第１のバーコードラベル２６Ａは、載置台３６に形成された開口部４１を介して外部から検出可能な状態となる。
【００３０】
次いで、遮光袋１４は、包装体１２を載置台３６に収納した後、一方のひれ部１８ｂの端部が切除される。なお、遮光袋１４は、載置台３６の内周壁に押圧された状態で収納されているため、内部のフイルムＦが光密な状態に維持される。また、他方のひれ部１８ａは、載置台３６から画像記録装置１０の前方に出るように設定される。
【００３１】
以上のようにして包装体１２を載置台３６に収納した後、載置台３６を画像記録装置１０に装填する（ステップＳ１）。制御部７２は、載置台検知部７６からの載置台検出信号に基づき、載置台３６が画像記録装置１０に装填されたことを確認すると（ステップＳ２）、バーコードリーダ４３を用いて、載置台３６に収納された包装体１２の遮光袋１４に貼着された第１のバーコードラベル２６Ａに記録されたバーコード２２を読み取る（ステップＳ３）。
【００３２】
一方、作業者は、包装体１２を載置した載置台３６を画像記録装置１０に装填した後、画像記録装置１０の外部に露出する遮光袋１４のひれ部１８ａを手前に引き抜く。このとき、フイルムＦは、当て紙１６および載置台３６に保持された状態で画像記録装置１０内に残置される。
【００３３】
ところで、遮光袋１４の引き抜きのタイミングは、好ましくはバーコードリーダ４３による第１のバーコードラベル２６Ａのバーコード２２の読み取りが正常に行われた後であるが、作業者によっては、包装体１２を載置した載置台３６を画像記録装置１０に装填した直後に引き抜きを開始する場合もある。
【００３４】
このような場合、第１のバーコードラベル２６Ａのバーコード２２の読み取りが正常に行われず、その後の適切な処理が停止するおそれがある。
【００３５】
そこで、本実施の形態では、遮光袋１４に第１のバーコードラベル２６Ａに加えて第２のバーコードラベル２６Ｂを貼着するようにしている。具体的には、第１及び第２のバーコードラベル２６Ａ及び２６Ｂは、遮光袋１４に対して、該遮光袋１４を引き抜く方向（図３において、矢印Ａで示す）に沿って配列貼着されている。これにより、遮光袋１４を引き抜く過程においては、開口部３７から第１のバーコードラベル２６Ａが見えなくなるが、その後、第２のバーコードラベル２６Ｂが開口部３７に到来し、開口部３７を通じて第２のバーコードラベル２６Ｂを臨むこととなる。
【００３６】
また、第１及び第２のバーコードラベル２６Ａ及び２６Ｂは、これらバーコードラベル２６Ａ及び２６Ｂに印刷されたバーコード２２を構成する各バー２２ａの延在方向を、前記遮光袋１４の引き抜き方向とほぼ平行となるようにして、遮光袋１４に貼着されている。
【００３７】
更に、第１及び第２のバーコードラベル２６Ａ及び２６Ｂの配置間隔ｄは、バーコードリーダ４３が読取りエラーを検出した時点から再読取り可能になるまでの時間をＴ、遮光袋１４の引き抜き速度をＶとしたとき、Ｔ×Ｖ以上に設定されている。即ち、バーコードリーダ４３によるバーコード２２の読み取りには、ある程度の時間が必要であり、上述の時間（Ｔ×Ｖ）が経過した後に第２のバーコードラベル２６Ｂが開口部３７に到来するように設定する。
【００３８】
図６での説明に戻り、制御部７２は、まず、バーコードリーダ４３によって読み取った第１のバーコードラベル２６Ａにおけるバーコード２２から得られたバーコードデータをチェックする（ステップＳ４）。バーコードデータのチェック方法としては、例えば、チェックデジット方式を用いた周知の方法が知られている。
【００３９】
バーコードデータをチェックした結果、正常に読み取りが行われたと判定された場合は、そのバーコードデータに係る識別情報を当該載置台３６を特定する情報とともにデータ記憶部８０に記憶する（ステップＳ５）。
【００４０】
バーコードデータをチェックした結果、読取異常と判定された場合、制御部７２は、今度は、バーコードリーダ４３によって読み取った第２のバーコードラベルにおけるバーコード２２から得られたバーコードデータをチェックする（ステップＳ６）。
【００４１】
バーコードデータをチェックした結果、正常に読み取りが行われたと判定された場合は、そのバーコードデータに係る識別情報を当該載置台３６を特定する情報とともにデータ記憶部８０に記憶する（ステップＳ５）。
【００４２】
前記ステップＳ６において、バーコードデータをチェックした結果、読取異常と判定された場合、制御部７２は、ステップＳ７において、表示部４２に読取異常のあったことを表示して、その後の処理を停止する。
【００４３】
前記ステップＳ５での処理が終了した段階で、制御部７２は、次のステップＳ８において、遮光袋検知部７８からの遮光袋検出信号に基づき、遮光袋１４が抜き取られていることを確認する。
【００４４】
以上のようにしてバーコードデータが入力され、かつ、遮光袋１４が抜き取られたことが確認された段階で、制御部７２は、所望のフイルムＦを枚葉して放射線画像情報を記録する処理を開始する。
【００４５】
具体的には、制御部７２は、データ記憶部８０に記憶されているフイルムＦの識別情報とそのフイルムＦが収納されている載置台３６、３８、４０の情報とを用いて、所望のフイルムＦが収納されている載置台３６、３８、４０を選択する（ステップＳ９）。
【００４６】
載置台３６、３８、４０が選択されると、制御部７２は、枚葉機構４８、５０、５２および搬送機構７４を付勢し、所望のフイルムＦを枚葉して画像記録部５４まで搬送する（ステップＳ１０）。
【００４７】
画像記録部５４に搬送されたフイルムＦは、ローラ５６及びプレート５８によって副走査方向に挟持搬送されるとともに、画像記録部５４からの放射線画像情報に応じて変調されたレーザビームＬが主走査方向に照射されることにより、潜像としての放射線画像がフイルムＦに２次元的に記録される（ステップＳ１１）。
【００４８】
放射線画像が記録されたフイルムＦは、熱現像部６０において、ローラ６２及びドラム６６により搬送される間、プレートヒータ６４ａ〜６４ｃから付与される熱によって加熱現像され、潜像が顕像に変換される（ステップＳ１２）。顕像が記録されたフイルムＦは、冷却部６８において冷却された後（ステップＳ１３）、排出部７０に排出される（ステップＳ１４）。
【００４９】
このように、本実施の形態においては、遮光袋１４に第１及び第２のバーコードラベル２６Ａ及び２６Ｂを貼着するようにしたので、第１のバーコードラベル２６Ａからの識別情報の読み取りが不良であったとしても、遮光袋１４の移動除去に伴って第２のバーコードラベル２６Ｂから識別情報を読み取ることが可能となり、識別情報の認識率を向上させることができる。
【００５０】
特に、本実施の形態では、第１及び第２のバーコードラベル２６Ａ及び２６Ｂを遮光袋１４の移動除去方向に沿って貼着するようにしているため、バーコードリーダ４３において第１及び第２のバーコードラベル２６Ａ及び２６Ｂから容易に識別情報を読み取ることができる。
【００５１】
そして、第１及び第２のバーコードラベル２６Ａ及び２６Ｂを遮光袋１４に貼着する場合に、これらバーコードラベル２６Ａ及び２６Ｂに印刷されたバーコード２２を構成するバー２２ａの延在方向を、遮光袋１４の引き抜き方向とほぼ平行となるようにしたので、バーコードリーダ４３でのバーコード２２の読取り精度を向上させることができる。
【００５２】
また、第１及び第２のバーコードラベル２６Ａ及び２６Ｂの配置間隔ｄを、バーコードリーダ４３が読取りエラーを検出した時点から再読取り可能になるまでの時間をＴ、遮光袋１４の引き抜き速度をＶとしたとき、Ｔ×Ｖ以上に設定するようにしたので、識別情報の認識率を更に向上させることができる。
【００５３】
また、第１及び第２のバーコードラベル２６Ａ及び２６Ｂに印刷されたバーコード２２をバーコードリーダ４３にて全て読み取って、そのうち、正常に読み取られたバーコードデータを識別情報としてデータ記憶部８０に記憶するようにしたので、遮光袋１４がすばやく引き抜かれたとしても、第２のバーコードラベル２６Ｂに対するバーコード読み取りを確実に行うことができる。
【００５４】
次に、その他の読取り方法（第１及び第２の変形例）について図７及び図８を参照しながら説明する。
【００５５】
まず、第１の変形例は、図７のステップＳ１０１において、例えば第１のバーコードラベル２６Ａに印刷されたバーコード２２を読み取り、次のステップＳ１０２において、バーコードデータのチェックを行う。読取り結果が正常であれば、次のステップＳ１０３において、そのバーコードデータを識別情報としてデータ記憶部８０に記憶する。
【００５６】
一方、読取り結果が異常であれば、ステップＳ１０４において、今度は、第２のバーコードラベル２６Ｂに印刷されたバーコード２２を読み取り、次のステップＳ１０５において、バーコードデータのチェックを行う。読取り結果が正常であれば、次のステップＳ１０６において、そのバーコードデータを識別情報としてデータ記憶部８０に記憶する。なお、前記ステップＳ１０５において、読取り結果が異常と判断されれば、ステップＳ１０７において、表示部４２に読取異常があったことを表示する。
【００５７】
この第１の変形例においては、第２のバーコードラベル２６Ｂに対するバーコード読み取りまでの時間をある程度確保する必要があるが、人間が引き抜く速さに対しては、十分に対応させることができる。
【００５８】
次に、第２の変形例について説明すると、まず、図８のステップＳ２０１において、例えば第１のバーコードラベル２６Ａに印刷されたバーコード２２を読み取り、次のステップＳ２０２において、そのバーコードデータを第１のデータとしてデータ記憶部８０に記憶する。
【００５９】
次に、ステップＳ２０３において、今度は、第２のバーコードラベル２６Ｂに印刷されたバーコードを読み取り、次のステップＳ２０４において、そのバーコードデータを第２のデータとしてデータ記憶部８０に記憶する。
【００６０】
そして、次のステップＳ２０５において、第１のデータと第２のデータとを比較し、同一であれば、次のステップＳ２０６において、初めて識別情報としてデータ記憶部８０に記憶する。
【００６１】
ステップＳ２０５において、比較結果が同一でないと判別された場合は、ステップＳ２０７において、表示部４２に読取異常があったことを表示する。
【００６２】
なお、上述した実施形態では、第１及び第２のバーコードラベル２６、２８、を遮光袋に貼着するようにしたが、識別情報を示すバーコードデータを遮光袋に印刷するようにしてもよい。また、第１及び第２のバーコードラベル２６、２８に替えて、識別情報を保持した第１及び第２の磁気ラベル、第１及び第２のＩＣ（Ｉｎｔｅｇｒａｔｅｄ　Ｃｉｒｃｕｉｔ）チップ等を遮光袋に貼着し、これらに保持された識別情報を読み取るようにしてもよい。
【００６３】
また、上述の例では、２つのバーコードラベル２６Ａ及び２６Ｂを貼着した場合を示したが、その他、３つ以上のバーコードラベルを貼着するようにしてもよい。
【００６４】
本発明に係る記録媒体包装体及び画像記録材料の識別情報処理方法は、上述の実施の形態に限らず、この発明の要旨を逸脱することなく、種々の構成を採り得ることはもちろんである。
【００６５】
【発明の効果】
以上説明したように、本発明に係る記録媒体包装体及び画像記録材料の識別情報処理方法によれば、記録媒体包装体から読み取った画像記録材料の識別情報の認識率を向上させることができ、所望の画像記録材料を選択して画像を適切に記録することができる。
【図面の簡単な説明】
【図１】本実施の形態に係る画像記録装置の概略構成を示す斜視図である。
【図２】本実施の形態に係る画像記録装置に装填される包装体の説明図である。
【図３】包装体を背面から見た説明図である。
【図４】本実施の形態に係る画像記録装置の内部構成説明図である。
【図５】本実施の形態に係る画像記録装置の制御ブロック図である。
【図６】本実施の形態に係る画像記録装置における処理フローチャートである。
【図７】バーコード読取り方法の第１の変形例を示すフローチャートである。
【図８】バーコード読取り方法の第２の変形例を示すフローチャートである。
【符号の説明】
１０…画像記録装置　　　　　　　　　　　１２…包装体
１４…遮光袋　　　　　　　　　　　　　　２２…バーコード
２４…数値データ　　　　　　　　　　　　２６Ａ…第１のバーコードラベル
２６Ｂ…第２のバーコードラベル　　　　　３７、３９、４１…開口部
４３、４５、４７…バーコードリーダ　　　７２…制御部
【図１】
2004029586.tif 000003
【図２】
2004029586.tif 000004
【図３】
2004029586.tif 000005
【図４】
2004029586.tif 000006
【図５】
2004029586.tif 000007
【図６】
2004029586.tif 000008
【図７】
2004029586.tif 000009
【図８】
2004029586.tif 000010